(57)【要約】  システム帯域の一部の周波数ブロックに使用帯域が制限される場合に適するランダムアクセス手順を行うことができる。本発明の一態様に係るユーザ端末は、システム帯域の一部の周波数ブロックに使用帯域が制限されるユーザ端末であって、ランダムアクセス信号を繰り返して送信する送信部と、前記ランダムアクセス信号に対する応答信号を繰り返して受信する受信部と、前記応答信号の繰り返し数を検出する制御部と、を具備し、前記受信部は、前記応答信号の繰り返し数の検出用情報を受信し、前記制御部は、前記ランダムアクセス信号の繰り返しレベルと、前記検出用情報とに基づいて、前記応答信号の繰り返し数を検出する。
2017026435.tif 000002
【特許請求の範囲】
【請求項１】
システム帯域の一部の周波数ブロックに使用帯域が制限されるユーザ端末であって、
ランダムアクセス信号を繰り返して送信する送信部と、
前記ランダムアクセス信号に対する応答信号を繰り返して受信する受信部と、
前記応答信号の繰り返し数を検出する制御部と、を具備し、
前記受信部は、前記応答信号の繰り返し数の検出用情報を受信し、
前記制御部は、前記ランダムアクセス信号の繰り返しレベルと、前記検出用情報とに基づいて、前記応答信号の繰り返し数を検出することを特徴とするユーザ端末。
【請求項２】
前記受信部は、前記検出用情報として、前記応答信号に多重されるユーザ端末数を示す情報を受信し、
前記制御部は、前記ランダムアクセス信号の繰り返しレベルと、前記ユーザ端末数とに基づいて、前記応答信号の繰り返し数を検出することを特徴とする請求項１に記載のユーザ端末。
【請求項３】
前記受信部は、前記検出用情報として、前記ランダムアクセス信号の繰り返し数に対するオフセットを示す情報を受信し、前記オフセットは、前記ランダムアクセス信号の繰り返しレベル毎に定められ、
前記制御部は、前記ランダムアクセス信号の繰り返しレベルが示す繰り返し数と、前記オフセットとに基づいて、前記応答信号の繰り返し数を検出することを特徴とする請求項１に記載のユーザ端末。
【請求項４】
前記受信部は、前記検出用情報として、前記ランダムアクセス信号の繰り返し数に対するオフセットを示す情報を受信し、前記オフセットは、前記ランダムアクセス信号の全繰り返しレベルに共通で定められ、
前記制御部は、前記ランダムアクセス信号の繰り返しレベルが示す繰り返し数と、前記オフセットとに基づいて、前記応答信号の繰り返し数を検出することを特徴とする請求項１に記載のユーザ端末。
【請求項５】
前記受信部は、前記検出用情報として、前記応答信号に多重されるユーザ端末数に関連付けられるトランスポートブロックサイズ（ＴＢＳ）を示す情報を受信し、
前記制御部は、前記ランダムアクセス信号の繰り返しレベルと、前記ＴＢＳに基づいて、前記応答信号の繰り返し数を検出することを特徴とする請求項１に記載のユーザ端末。
【請求項６】
前記ＴＢＳを示す情報は、前記ＴＢＳを示すＴＢＳインデックスに関連付けられるＭＣＳ（Modulation  and  Coding  Scheme）インデックスであることを特徴とする請求項５に記載のユーザ端末。
【請求項７】
前記受信部は、前記検出用情報として、複数の周波数ブロックを示す情報を受信し、前記周波数ブロックの各々は、前記応答信号に多重されるユーザ端末数に関連づけられ、
前記制御部は、前記ランダムアクセス信号の繰り返しレベルと、前記応答信号が割り当てられる周波数ブロックに基づいて、前記応答信号の繰り返し数を検出することを特徴とする請求項１に記載のユーザ端末。
【請求項８】
前記周波数ブロックは、１．４ＭＨｚであり、６つのリソースブロックで構成されることを特徴とする請求項１から請求項７のいずれかに記載のユーザ端末。
【請求項９】
システム帯域の一部の周波数ブロックに使用帯域が制限されるユーザ端末と通信する無線基地局であって、
ランダムアクセス信号を繰り返して受信する受信部と、
前記ランダムアクセス信号に対する応答信号を繰り返して送信する送信部と、
前記ランダムアクセス信号の繰り返しレベルと、前記応答信号に多重されるユーザ端末数とに基づいて、前記応答信号の繰り返し数を決定する制御部と、を具備し、
前記送信部は、前記決定された繰り返し数の検出用情報を送信することを特徴とする無線基地局。
【請求項１０】
システム帯域の一部の周波数ブロックに使用帯域が制限されるユーザ端末における無線通信方法であって、
ランダムアクセス信号を繰り返して送信する工程と、
前記ランダムアクセス信号に対する応答信号を繰り返して受信する工程と、
前記応答信号の繰り返し数を検出する工程と、を有し、
前記ユーザ端末は、前記応答信号の繰り返し数の検出用情報を受信し、前記ランダムアクセス信号の繰り返しレベルと、前記検出用情報とに基づいて、前記応答信号の繰り返し数を検出することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている（非特許文献２）。ＭＴＣ用ユーザ端末（ＭＴＣ  ＵＥ（User  Equipment））は、例えば電気メータ、ガスメータ、自動販売機、車両、その他産業機器などの幅広い分野への利用が考えられている。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TS  36.888  “Study  on  provision  of  low-cost  Machine-Type  Communications  (MTC)  User  Equipments  (UEs)  based  on  LTE  (Release  12)”
【発明の概要】
【発明が解決しようとする課題】
【０００５】
ＭＴＣでは、コストの低減及びセルラシステムにおけるカバレッジエリアの改善の観点から、簡易なハードウェア構成で実現可能なＭＴＣ用ユーザ端末（ＬＣ（Low-Cost）−ＭＴＣ  ＵＥ、以下、単に、ＭＴＣ端末という）の需要が高まっている。ＭＴＣ端末は、上りリンク（ＵＬ）及び下りリンク（ＤＬ）の使用帯域を、システム帯域の一部の周波数ブロックに制限することで実現される。当該周波数ブロックは、例えば、１．４ＭＨｚで構成され、狭帯域（ＮＢ：Narrow  Band）とも呼ばれる。【０００６】
しかしながら、使用帯域がシステム帯域の一部の周波数ブロックに制限されるＭＴＣ端末に対して、既存のユーザ端末（例えば、ＬＴＥ端末）と無線基地局との通信手法をそのまま適用する場合、ＭＴＣ端末は、無線基地局との通信を適切に行うことができなくなる恐れがある。例えば、既存のユーザ端末と無線基地局とのランダムアクセス手順は、使用帯域がシステム帯域の一部の周波数ブロックに制限されるＭＴＣ端末にそのまま適用することができないことが想定される。【０００７】
本発明はかかる点に鑑みてなされたものであり、システム帯域の一部の周波数ブロックに使用帯域が制限される場合に適するランダムアクセス手順を行うことが可能なユーザ端末、無線基地局及び無線通信方法を提供することを目的の一つとする。
【課題を解決するための手段】
【０００８】
本発明の一態様に係るユーザ端末は、システム帯域の一部の周波数ブロックに使用帯域が制限されるユーザ端末であって、ランダムアクセス信号を繰り返して送信する送信部と、前記ランダムアクセス信号に対する応答信号を繰り返して受信する受信部と、前記応答信号の繰り返し数を検出する制御部と、を具備し、前記受信部は、前記応答信号の繰り返し数の検出用情報を受信し、前記制御部は、前記ランダムアクセス信号の繰り返しレベルと、前記検出用情報とに基づいて、前記応答信号の繰り返し数を検出することを特徴とする。
【発明の効果】
【０００９】
本発明によれば、システム帯域の一部の周波数ブロックに使用帯域が制限される場合に適するランダムアクセス手順を行うことができる。
【図面の簡単な説明】
【００１０】
【図１】ＬＴＥ端末とＭＴＣ端末との使用帯域の説明図である。
【図２】図２Ａ及び２Ｂは、ＭＴＣ端末の使用帯域となる狭帯域の配置の説明図である。
【図３】ランダムアクセス手順の一例を示す図である。
【図４】図４Ａ、４Ｂ及び４Ｃは、ＲＡＲの繰り返し数の制御例を示す図である。
【図５】第１の態様に係るＲＡＲの繰り返し数の一例を示す図である。
【図６】第１の態様に係るランダムアクセス手順の一例を示す図である。
【図７】図７Ａ、７Ｂ及び７Ｃは、第２の態様に係るＲＡＲの繰り返し数のオフセットの一例を示す図である。
【図８】第３の態様に係るＲＡＲの繰り返し数のオフセットの一例を示す図である。
【図９】第４の態様に係るＲＡＲの繰り返し数の一例を示す図である。
【図１０】図１０Ａ及び１０Ｂは、第４の態様に係るＴＢＳテーブルの一例を示す図である。
【図１１】図１１Ａ及び１１Ｂは、第５の態様に係るＲＡＲの繰り返し数の一例を示す図である。
【図１２】本発明の一実施形態に係る無線通信システムの概略構成図である。
【図１３】本発明の一実施形態に係る無線基地局の全体構成の一例を示す図である。
【図１４】本発明の一実施形態に係る無線基地局の機能構成の一例を示す図である。
【図１５】本発明の一実施形態に係るユーザ端末の全体構成の一例を示す図である。
【図１６】本発明の一実施形態に係るユーザ端末の機能構成の一例を示す図である。
【発明を実施するための形態】
【００１１】
低コストＭＴＣ用のユーザ端末では、処理能力の低下を許容して、ハードウェア構成を簡略化することが検討されている。例えば、低コストＭＴＣ用のユーザ端末では、既存のユーザ端末に比べて、ピークレートの減少、トランスポートブロックサイズ（ＴＢＳ：Transport  Block  Size）の制限、リソースブロック（ＲＢ：Resource  Block、ＰＲＢ：Physical  Resource  Block等とも呼ばれる。以下、ＰＲＢという）の制限、受信ＲＦ（Radio  Frequency）の制限などを適用することが検討されている。
【００１２】
ここで、既存のユーザ端末は、ＬＴＥ端末、ＬＴＥ−Ａ端末、ＬＴＥ  ＵＥ（User  Equipment）、ノーマルＵＥ、非ＭＴＣ端末、単に、ユーザ端末、ＵＥなどと呼ばれる。また、ＭＴＣ端末は、単に、ユーザ端末、ＵＥなどとも呼ばれる。以下では、説明の便宜上、既存のユーザ端末をＬＴＥ端末と呼び、ＭＴＣ（低コストＭＴＣ）用のユーザ端末をＭＴＣ端末と呼ぶ。
【００１３】
図１は、ＬＴＥ端末とＭＴＣ端末との使用帯域の説明図である。図１に示すように、ＬＴＥ端末の使用帯域の上限は、システム帯域（例えば、２０ＭＨｚ（＝１００ＰＲＢ）、１コンポーネントキャリアなど）に設定される。一方、ＭＴＣ端末の使用帯域の上限は、システム帯域の一部の周波数ブロック（例えば、１．４ＭＨｚ（＝６ＰＲＢ））に制限される。以下、当該周波数ブロックを「狭帯域（ＮＢ）」とも呼ぶ。
【００１４】
また、ＭＴＣ端末は、ＬＴＥ／ＬＴＥ−Ａのシステム帯域内で動作することが検討されている。この場合、ＭＴＣ端末とＬＴＥ端末との周波数分割多重をサポート可能となる。このように、ＭＴＣ端末は、サポートする最大の帯域がシステム帯域の一部の周波数ブロック（狭帯域）であるユーザ端末ともいえ、ＬＴＥ／ＬＴＥ−Ａのシステム帯域よりも狭い帯域の送受信性能を有するユーザ端末ともいえる。
【００１５】
図２は、ＭＴＣ端末の使用帯域となる狭帯域の配置の説明図である。図２Ａに示すように、狭帯域（例えば、１．４ＭＨｚ）をシステム帯域（例えば、２０ＭＨｚ）内の特定の周波数位置に固定することが想定される。この場合、トラヒックが当該特定の周波数（例えば、中心周波数）に集中する恐れがある。また、周波数ダイバーシチ効果が得られないため、周波数利用効率が低下する恐れがある。
【００１６】
そこで、図２Ｂに示すように、狭帯域（例えば、１．４ＭＨｚ）を所定の期間（例えば、サブフレーム）でシステム帯域（例えば、２０ＭＨｚ）内の異なる周波数位置（周波数リソース）に変化させることが想定される。この場合、ＭＴＣ端末のトラヒックを分散させることができる。また、周波数ダイバーシチ効果が得られるので、周波数利用効率の低下を抑制できる。
【００１７】
図２Ｂに示すように、ＭＴＣ端末の使用帯域となる狭帯域の周波数位置が可変である場合、ＭＴＣ端末は、狭帯域に対する周波数ホッピング又は周波数スケジューリングの適用を考慮して、ＲＦの再調整（retuning）機能を有することが好ましい。
【００１８】
ところで、ＭＴＣ端末は、システム帯域の一部の狭帯域（例えば、１．４ＭＨｚ）のみをサポートするため、システム帯域全体に渡って配置される下り制御チャネル（ＰＤＣＣＨ：Physical  Downlink  Control  Channel）を検出できない。このため、狭帯域に配置されるＭＴＣ用下り制御チャネル（ＭＰＤＣＣＨ：Machine  type  communication  ＰＤＣＣＨ）を用いて、下り共有チャネル（ＰＤＳＣＨ）や上り共有チャネル（ＰＵＳＣＨ：Physical  Uplink  Shared  Channel）のリソース割り当てを行うことが検討されている。
【００１９】
ここで、ＭＴＣ用下り制御チャネル（ＭＰＤＣＣＨ）は、システム帯域の一部の狭帯域で送信される下り制御チャネル（下り制御信号）であり、ＬＴＥ用又はＭＴＣ用の下り共有チャネル（ＰＤＳＣＨ：Physical  Downlink  Shared  Channel）と周波数分割多重されてもよい。ＭＰＤＣＣＨは、Ｍ−ＰＤＣＣＨ（Machine  type  communication−ＰＤＣＣＨ）、拡張下り制御チャネル（ＥＰＤＣＣＨ：Enhanced  Physical  Downlink  Control  Channel）等と呼ばれてもよい。ＭＰＤＣＣＨにより、ＰＤＳＣＨの割り当てに関する情報（例えば、ＤＬ（Downlink）グラント）、ＰＵＳＣＨの割り当てに関する情報（例えば、ＵＬ（Uplink）グラント）等を含む下り制御情報（ＤＣＩ：Downlink  Control  Channel）が伝送される。
【００２０】
なお、ＭＰＤＣＣＨ以外にも、ＭＴＣ端末によって用いられるチャネルは、同じ用途で用いられる既存のチャネルにＭＴＣを示す「Ｍ」を付して表されてもよい。例えば、ＭＰＤＣＣＨにより割り当てられたＰＤＳＣＨは、ＭＰＤＳＣＨ（Machine  type  communication  ＰＤＳＣＨ）、Ｍ−ＰＤＳＣＨ（Machine  type  communication−ＰＤＳＣＨ）などと呼ばれてもよい。同様に、ＭＰＤＣＣＨにより割り当てられたＰＵＳＣＨは、ＭＰＵＳＣＨ（Machine  type  communication  ＰＵＳＣＨ）、Ｍ−ＰＵＳＣＨ（Machine  type  communication−ＰＵＳＣＨ）などと呼ばれてもよい。
【００２１】
ところで、ＭＴＣでは、カバレッジを拡張するために、複数のサブフレームに渡って同一の下り信号及び／又は上り信号を繰り返して（with  repetition）送受信する繰り返し送信／受信を行うことも検討されている。なお、同一の下り信号及び／又は上り信号が送受信される複数のサブフレーム数は、繰り返し数（repetition  number）とも呼ばれる。また、当該繰り返し数は、繰り返しレベルによって示されてもよい。当該繰り返しレベルは、カバレッジ拡張（ＣＥ：Coverage  Enhancement）レベルとも呼ばれる。
【００２２】
繰り返し送信／受信では、複数のサブフレームに渡って受信される下り信号及び／又は上り信号が合成されるので、狭帯域が用いられる場合でも、所望の信号対干渉雑音比（ＳＩＮＲ：Signal-to-Interference  plus  Noise  Ratio）を満たすことができる。この結果、ＭＴＣのカバレッジを拡大できる。
【００２３】
また、ＭＴＣ端末が、上り同期を確立するためには、無線基地局との間でランダムアクセス手順を行うことが必要となる。図３は、ランダムアクセス手順の一例を示す図である。なお、図３では、衝突ベース（Contention-Based）のランダムアクセス手順を示すが、これに限られず、衝突フリー（Contention-Free）のランダムアクセス手順が用いられてもよい。なお、図３では、繰り返し送信／受信が行われる場合を一例として想定する。
【００２４】
図３に示すように、ＭＴＣ端末（ＭＴＣ  ＵＥ）は、無線基地局（ｅＮＢ）からシステム情報（例えば、ＭＩＢ：Mater  Information  Block、ＳＩＢ：System  Information  Block）を受信する（ステップＳ０１）。例えば、ＭＴＣ端末は、ＭＴＣ用のＳＩＢに基づいて、上り用の狭帯域と下り用の狭帯域とを設定する。なお、上り用に複数の狭帯域が設定されてもよい。同様に、下り用に複数の狭帯域（例えば、図３では、ＤＬ  ＢＷ＃１及び＃２）が設定されてもよい。
【００２５】
ＭＴＣ端末は、ＳＩＢで通知されたＰＲＡＣＨリソースを用いて、ランダムアクセスチャネル（ＰＲＡＣＨ：Physical  Random  Access  Channel）を介して、ランダムアクセスプリアンブル（Random  Access  Preamble）を送信する（ステップＳ０２）。ＰＲＡＣＨのＣＥレベルの決定は、ＵＥが測定した受信電力（例えば、ＲＳＲＰ（Reference  Signal  Received  Power））、受信品質（例えば、ＲＳＲＱ（Reference  Signal  Received  Quality））やチャネル状態などに基づいて行うことができる。そして、ＵＥは、決定したＣＥレベルを用いてＰＲＡＣＨを繰り返し送信する。ランダムアクセスプリアンブルは、ＭＴＣ端末と無線基地局との遅延推定に用いられ、メッセージ１、ＰＲＡＣＨとも呼ばれる。以下では、ランダムアクセスプリアンブルをＰＲＡＣＨと呼ぶものとする。
【００２６】
無線基地局は、ＰＲＡＣＨの受信に応じて、ＰＤＳＣＨを介して、ランダムアクセスレスポンス（ＲＡＲ：Random  Access  Response）を送信する（ステップＳ０３）。無線基地局は、例えば、ＰＲＡＣＨの繰り返しレベル（ＣＥレベル）に基づいて繰り返し数を決定してＲＡＲの繰り返し送信を行う。ＲＡＲは、メッセージ２とも呼ばれ、例えば、上り同期用の遅延情報（UL  delay）などを含む。また、無線基地局は、ＲＡ−ＲＮＴＩ（Random  Access−Radio  Network  Temporary  Identifier）を用いて、ＲＡＲのリソース割り当て情報を含むＤＣＩをＭＰＤＣＣＨにより送信する。
【００２７】
なお、図３では、一例として、上記ＤＣＩを伝送するＭＰＤＣＣＨ、ＲＡＲを伝送するＰＤＳＣＨが、下り用の狭帯域＃１（ＤＬ  ＢＷ＃１）に割り当てられるが、これらに限れない。ＳＩＢで下り用の狭帯域が設定されていなくても、ＭＰＤＣＣＨにより動的にＰＤＳＣＨを割り当てることも可能である。
【００２８】
ＭＴＣ端末は、ＭＰＤＣＣＨ（例えば、共通サーチスペース（ＣＳＳ：Common  Search  Space））をブラインド復号し、ＲＡ−ＲＮＴＩを検出する。ＭＴＣ端末は、検出されたＲＡ−ＲＮＴＩに基づいて、ＰＤＳＣＨ上のＲＡＲの割り当てリソースを特定し、ＲＡＲを受信する。なお、ＰＲＡＣＨの送信から所定期間内にＲＡＲを受信できない場合、ＭＴＣ端末は、ＰＲＡＣＨの送信電力を上げて再送する。
【００２９】
ＭＴＣ端末は、ＲＡＲを受信すると、ＰＵＳＣＨを介して、ＲＲＣ（Radio  Resource  Control）コネクション要求などのレイヤ２／レイヤ３（Ｌ２／Ｌ３）メッセージを無線基地局に送信する（ステップＳ０４）。Ｌ２／Ｌ３メッセージは、メッセージ３とも呼ばれ、移動端末識別子を含む。なお、Ｌ２／Ｌ３メッセージは、ＰＲＡＣＨが無線基地局に受信された狭帯域で送信されてもよい。これにより、Ｌ２／Ｌ３メッセージの受信精度を向上させることができる。
【００３０】
無線基地局は、ＭＴＣ端末からのＬ２／Ｌ３メッセージに応じて、ＰＤＳＣＨを介して、衝突解決（Contention  resolution）メッセージをＭＴＣ端末に送信する（ステップＳ０５）。ＭＴＣ端末は、衝突解決メッセージに含まれる移動端末識別子に基づいて、ランダムアクセス手順が成功したか否かを判断する。
【００３１】
しかしながら、上述したランダムアクセス手順（例えば、図３）では、ＭＴＣ端末は、無線基地局からのＲＡＲの繰り返し数を検出できない結果、ＲＡＲを適切に受信できない恐れがある。
【００３２】
具体的には、無線基地局は、複数のＭＴＣ端末からのＰＲＡＣＨを同時に検出する場合、各ＭＴＣ端末にする応答メッセージを単一のＲＡＲ内に含めて送信することができる。この場合、無線基地局は、ＰＲＡＣＨの繰り返しレベルが同一である複数のＭＴＣ端末を単一のＲＡＲ内に多重することが想定される。
【００３３】
しかしながら、ＰＲＡＣＨの繰り返しレベルが同一であっても、当該ＲＡＲ内に多重されるＭＴＣ端末数によって、所望のＳＩＮＲを満たすためのＲＡＲの繰り返し数は異なることが想定される。このため、ＰＲＡＣＨの繰り返しレベルだけでなく、単一のＲＡＲに多重されるＭＴＣ端末数に基づいて、ＲＡＲの繰り返し数を制御することが望まれる。
【００３４】
図４は、ＲＡＲの繰り返し数の制御例を示す図である。ここでは、図４Ａに示すように、ＰＲＡＣＨの繰り返しレベル（ＣＥレベル）１に対応するＲＡＲの繰り返し数が８である場合を想定する。ＲＡＲ内に多数のＭＴＣ端末（例えば、３ＭＴＣ端末）が多重される場合、ＲＡＲの情報量が増加する。このため、所望のＳＩＮＲを満たすためのＲＡＲの繰り返し数は、図４Ｂに示すように、ＰＲＡＣＨの繰り返しレベル１に対応する８よりも多くする必要がある。
【００３５】
一方、ＲＡＲ内に少数のＭＴＣ端末（例えば、１ＭＴＣ端末だけ）が多重される場合、ＲＡＲの情報量は減少する。このため、所望のＳＩＮＲを満たすためのＲＡＲの繰り返し数は、図４Ｃに示すように、ＰＲＡＣＨの繰り返しレベル１に対応する８よりも小さくてもよい。
【００３６】
このように、ＰＲＡＣＨの繰り返し数が同一であっても、ＲＡＲ内に多重されるＭＴＣ端末数によって所望のＳＩＮＲを満たすためのＲＡＲの繰り返し数は異なるため、無線基地局がＲＡＲに多重されるＭＴＣ端末数に基づいてＲＡＲの繰り返し数を制御することが想定される。この場合、無線基地局で制御されるＲＡＲの繰り返し数をＭＴＣ端末が検出できない結果、ＲＡＲを適切に受信できない恐れがある。
【００３７】
そこで、本発明者らは、ＭＴＣ端末と無線基地局とのランダムアクセス手順において繰り返し送信が用いられる場合に、無線基地局で制御されるＲＡＲの繰り返し数を適切にＭＴＣ端末に対して通知可能とすることを着想し、本発明に至った。
【００３８】
本発明の一態様において、システム帯域の一部の狭帯域（周波数ブロック）に使用帯域が制限されるＭＴＣ端末（ユーザ端末）は、ＰＲＡＣＨ（ランダムアクセス信号）を繰り返して（with  repetition）送信し、ＰＲＡＣＨに対するＲＡＲ（応答信号）を繰り返して受信する。ＭＴＣ端末は、ＲＡＲの繰り返し数の検出用情報を受信する。ＭＴＣ端末は、ＰＲＡＣＨの繰り返しレベルと、上記検出用情報とに基づいて、ＲＡＲの繰り返し数を検出する。
【００３９】
ここで、ＲＡＲの繰り返し数の検出用情報は、ＲＡＲに多重されるユーザ端末数を示す情報であってもよいし（第１の態様）、ＰＲＡＣＨの繰り返し数に対するオフセットを示す情報であってもよいし（第２の態様、第３の態様）、ＲＡＲのトランスポートブロックサイズ（ＴＢＳ）を示す情報であってもよいし（第４の態様）、使用帯域の候補となる複数の狭帯域を示す情報であってもよい（第５の態様）。
【００４０】
以下、本発明の一実施形態に係る無線通信方法について詳細に説明する。なお、以下において、システム帯域の一部の狭帯域（周波数ブロック）は、１．４ＭＨｚであり、６リソースブロック（ＰＲＢ）で構成されるものとするが、これに限られない。また、以下では、ＰＲＡＣＨの繰り返しレベルは、３段階であるものとするが、これに限られない。また、以下に示すＲＡＲの繰り返し数は、全て例示にすぎず、これらに限られない。
【００４１】
（第１の態様）
第１の態様では、ＭＴＣ端末は、上記検出用情報として、ＲＡＲ（応答信号）に多重されるＭＴＣ端末数（ユーザ端末数）を示す情報を受信する。ＭＴＣ端末は、ＰＲＡＣＨの繰り返しレベルと、当該ＭＴＣ端末数とに基づいて、ＲＡＲの繰り返し数を検出する。
【００４２】
図５は、ＰＲＡＣＨの繰り返しレベル（ＣＥレベル）とＲＡＲの繰り返し数との関連付けの一例を示す図である。図５に示すように、ＰＲＡＣＨの繰り返しレベルとＲＡＲの繰り返し数とは、ＲＡＲ内に多重されるＭＴＣ端末数毎に関連付けられる。図５における繰り返しレベル毎及びＭＴＣ端末数毎のＲＡＲの繰り返し数は、ＭＴＣ端末に予め定められて（記憶されて）いてもよいし、上位レイヤシグナリング（例えば、ＲＲＣシグナリング）により、ＭＴＣ端末に通知されてもよい。なお、図５に示す繰り返し数は、例示にすぎず、これらに限られるものではない。
【００４３】
また、図５に示すように、ＲＡＲ内に多重されるＭＴＣ端末数は、ＭＰＤＣＣＨにより伝送されるＤＣＩ内のビット値に関連付けられる。例えば、図５では、上記ＭＴＣ端末数「１」、「２」、「３」が、それぞれ、ビット値「００」、「０１」、「１０」に関連付けられる。なお、図５では、ＲＡＲ内における最大多重数は３であるが、これに限られない。最大の多重数が５以上である場合、ＤＣＩのビット数を３ビット以上とすればよいし、２以下である場合ＤＣＩのビット数を１とすればよい。
【００４４】
以上のようなＭＴＣ端末数を示す情報を用いたランダムアクセス手順の一例を説明する。図６は、第１の態様に係るランダムアクセス手順の一例を示す図である。なお、図６では、図３のステップＳ０１、Ｓ０４、Ｓ０５に関係する動作は図示しないが、これらの動作を適宜適用することは可能である。また、図６では、無線基地局及びＭＴＣ端末には、図５に示すＲＡＲの繰り返し数が、予め、或いは、上位レイヤシグナリングにより設定されているものとする。
【００４５】
図６に示すように、上述のランダムアクセス手順に繰り返し送信／受信を適用する場合、ＭＴＣ端末は、メジャメントの結果（例えば、受信信号強度（ＲＳＲＰ：Reference  Signal  Received  Power）や受信信号品質（ＲＳＲＱ：Reference  Signal  Received  Quality））に基づいて、ＰＲＡＣＨの繰り返しレベル（ＣＥレベル）を決定し、当該繰り返しレベルに基づいてＰＲＡＣＨの繰り返し送信を行う（ステップＳ１１）。例えば、図６では、ＭＴＣ端末は、繰り返しレベル１を決定する。
【００４６】
なお、異なる繰り返しレベル毎に異なるＰＲＡＣＨリソースが割り当てられている場合、無線基地局は、ＰＲＡＣＨの繰り返しレベルを知ることが出来る。ＰＲＡＣＨの繰り返しレベルは、ＭＴＣ端末から無線基地局に通知されてもよいし、ＭＴＣ端末におけるメジャメントの結果に基づいて無線基地局で推定されてもよい。
【００４７】
無線基地局は、ＰＲＡＣＨの繰り返しレベルとＲＡＲに多重されるＭＴＣ端末数に基づいて、ＲＡＲの繰り返し数を決定する。例えば、図６では、ＰＲＡＣＨの繰り返しレベルが１であり、ＲＡＲ内に多重されるＭＴＣ端末数が２であるので、無線基地局は、図５において、当該繰り返しレベル「１」及びＭＴＣ端末数「２」に関連づけられる繰り返し数「１５」を決定する。
【００４８】
無線基地局は、ＲＡＲに多重されるＭＴＣ端末数を示す情報（ここでは、ＭＴＣ端末数「２」を示すビット値「０１」）を含むＤＣＩを、ＭＰＤＣＣＨを介して送信する（ステップＳ１２）。ここで、当該ＭＴＣ端末数を示す情報は、ＤＣＩ内の既存フィールド（例えば、ＭＣＳ（Modulation  and  Coding  Scheme）フィールド）を利用するものであってもよいし、新規フィールドを利用するものであってもよい。
【００４９】
ＭＴＣ端末は、無線基地局からＭＰＤＣＣＨを介して、ＲＡＲに多重されるＭＴＣ端末数を示す情報（ここでは、ＭＴＣ端末数「２」を示すビット値「０１」）を受信する。ＭＴＣ端末は、図５において、当該ＭＴＣ端末数「２」とＰＲＡＣＨの繰り返しレベル「１」に関連づけられる繰り返し数「１５」を検出する。ＭＴＣ端末は、検出された繰り返し数に基づいて、ＲＡＲを複数のサブフレームに渡り受信して合成する（ステップＳ１３）。
【００５０】
第１の態様によれば、無線基地局から、ＲＡＲに多重されるＭＴＣ端末数を示す情報が通知されるので、ＭＴＣ端末は、当該ＭＴＣ端末数とＰＲＡＣＨの繰り返しレベルとに基づいて、ＲＡＲの繰り返し数を検出でき、ＲＡＲを適切に受信できる。
【００５１】
（第２の態様）
第２の態様では、ＭＴＣ端末は、上記検出用情報として、ＰＲＡＣＨ（ランダムアクセス信号）の繰り返し数に対するオフセットを示す情報を受信する。ここで、当該オフセットは、ＰＲＡＣＨの繰り返しレベル毎に定められる。ＭＴＣ端末は、ＰＲＡＣＨの繰り返しレベルが示す繰り返し数と当該オフセットとに基づいて、ＲＡＲの繰り返し数を検出する。
【００５２】
図７は、ＰＲＡＣＨの繰り返し数に対するオフセットを示す情報の一例を示す図である。図７に示すように、当該オフセットは、ＰＲＡＣＨの繰り返しレベル（ＣＥレベル）毎に定められてもよい。図７Ａ、図７Ｂ、図７Ｃでは、それぞれ、ＰＲＡＣＨの繰り返しレベル１、２、３におけるオフセットと、当該オフセットを示す情報（例えば、ＤＣＩ内のビット値）とが示される。
【００５３】
図７Ａ−７Ｃに示すように、各繰り返しレベルのオフセットは、ＭＰＤＣＣＨにより伝送されるＤＣＩ内のビット値に関連付けられる。例えば、図７Ａでは、オフセット「２」、「０」、「−２」が、それぞれ、ビット値「００」、「０１」、「１０」に関連付けられる。図７Ｂ、図７Ｃに示す繰り返しレベル２、３についても同様である。なお、各ビット値が示すオフセット値は、予め記憶されていてもよいし、或いは、上位レイヤシグナリングにより設定されてもよい。
【００５４】
また、図７Ａに示すように、繰り返しレベル１のオフセットの範囲は、２、０、−２であり、図７Ｂに示すように、繰り返しレベル２のオフセットの範囲は、５、０、−５であり、図７Ｃに示すように、繰り返しレベル３のオフセットの範囲は、１０、０、−１０である。このように、各繰り返しレベルのオフセット範囲も、繰り返し数に応じて増加するように設定されてもよい。
【００５５】
以上のような繰り返しレベル毎のオフセットを示す情報を用いたランダムアクセス手順の一例を説明する。なお、当該ランダムアクセス手順は、図６で説明したシーケンスを適宜適用することができる。
【００５６】
例えば、ＰＲＡＣＨの繰り返しレベル１でＲＡＲに多重されるＭＴＣ端末数が３である場合、無線基地局が、当該繰り返しレベルとＭＴＣ端末数とに基づいて、図７Ａに示すオフセット「２」を決定するものとする。無線基地局は、オフセット「２」を示す情報（ここでは、ビット値「００」）を含むＤＣＩを、ＭＰＤＣＣＨを介して送信する。なお、当該オフセットを示す情報は、ＤＣＩ内の既存フィールド（例えば、ＭＣＳフィールド）を利用するものであってもよいし、新規フィールドを利用するものであってもよい。
【００５７】
ＭＴＣ端末は、無線基地局からＭＰＤＣＣＨを介して、オフセットを示す情報（ここでは、オフセット「２」を示すビット値「００」）を受信する。ＭＴＣ端末は、図７Ａにおいてビット値「００」に関連付けられるオフセット「２」と、ＰＲＡＣＨの繰り返しレベル１が示す繰り返し数「１５」とに基づいて、ＲＡＲの繰り返し数「１７（＝１５＋２）」を検出する。
【００５８】
第２の態様によれば、無線基地局から、ＰＲＡＣＨの繰り返し数に対するオフセットを示す情報が通知されるので、ＭＴＣ端末は、当該オフセットとＰＲＡＣＨの繰り返しレベルが示す繰り返し数とに基づいて、ＲＡＲの繰り返し数を検出でき、ＲＡＲを適切に受信できる。また、図７Ａ−７Ｃに示すように、繰り返しレベル毎にオフセットと当該オフセットを示す情報（ＤＣＩ内のビット値）とを関連付けることで、当該オフセットを示す情報の情報量（ＤＣＩ内のビット数）の増加を防止できる。
【００５９】
（第３の態様）
第３の態様では、第２の態様と同様に、ＭＴＣ端末は、上記検出用情報として、ＰＲＡＣＨ（ランダムアクセス信号）の繰り返し数に対するオフセットを示す情報を受信する。一方、第３の態様では、当該オフセットが、ＰＲＡＣＨの全繰り返しレベル共通に定められる点で、第２の態様と異なる。以下では、第２の態様との相違点を中心に説明する。
【００６０】
図８は、ＰＲＡＣＨの繰り返し数に対するオフセットを示す情報の他の例を示す図である。図８に示すように、当該オフセットは、ＰＲＡＣＨの全繰り返しレベル（ＣＥレベル）で共通に定められてもよい。
【００６１】
図８に示すように、繰り返しレベル１−３に共通のオフセットは、ＭＰＤＣＣＨにより伝送されるＤＣＩ内のビット値に関連付けられる。なお、各ビット値が示すオフセット値は、予め記憶されていてもよいし、或いは、上位レイヤシグナリングにより設定されてもよい。
【００６２】
以上のような繰り返しレベル共通のオフセットを示す情報を用いたランダムアクセス手順の一例を説明する。なお、当該ランダムアクセス手順は、図６で説明したシーケンスを適宜適用することができる。
【００６３】
例えば、ＰＲＡＣＨの繰り返しレベル３でＲＡＲに多重されるＭＴＣ端末数が１である場合、無線基地局が、当該繰り返しレベルとＭＴＣ端末数とに基づいて、図８に示すオフセット「−１０」を決定するものとする。無線基地局は、オフセット「−１０」を示す情報（ここでは、ビット値「０００」）を含むＤＣＩを、ＭＰＤＣＣＨを介して送信する。なお、当該オフセットを示す情報は、ＤＣＩ内の既存フィールド（例えば、ＭＣＳフィールド）を利用するものであってもよいし、新規フィールドを利用するものであってもよい。
【００６４】
ＭＴＣ端末は、無線基地局からＭＰＤＣＣＨを介して、オフセットを示す情報（ここでは、オフセット「−１０」を示すビット値「０００」）を受信する。ＭＴＣ端末は、図８においてビット値「０００」に関連付けられるオフセット「−１０」と、ＰＲＡＣＨの繰り返しレベル３が示す繰り返し数「３５」とに基づいて、ＲＡＲの繰り返し数「２５（＝３５−１０）」を検出する。
【００６５】
第３の態様によれば、無線基地局から、ＰＲＡＣＨの繰り返し数に対するオフセットを示す情報が通知されるので、ＭＴＣ端末は、当該オフセットとＰＲＡＣＨの繰り返しレベルが示す繰り返し数とに基づいて、ＲＡＲの繰り返し数を検出でき、ＲＡＲを適切に受信できる。
【００６６】
（第４の態様）
第４の態様では、ＭＴＣ端末は、上記検出用情報として、ＲＡＲ（応答信号）のトランスポートブロックサイズ（ＴＢＳ）を示す情報を受信する。ここで、当該ＴＢＳは、ＲＡＲに多重されるＭＴＣ端末数（ユーザ端末数）に関連付けられる。ＭＴＣ端末は、ＰＲＡＣＨの繰り返しレベルと当該ＴＢＳとに基づいて、ＲＡＲの繰り返し数を検出する。なお、以下では、第１の態様との相違点を中心に説明する。
【００６７】
図９は、ＰＲＡＣＨの繰り返しレベル（ＣＥレベル）とＲＡＲの繰り返し数との関連付けの他の例を示す図である。図９に示すように、ＰＲＡＣＨの繰り返しレベルとＲＡＲの繰り返し数とは、ＲＡＲ内に多重されるＭＴＣ端末数毎に関連付けられる。図９における繰り返しレベル毎及びＭＴＣ端末数毎のＲＡＲの繰り返し数は、ＭＴＣ端末に予め定められて（記憶されて）いてもよいし、上位レイヤシグナリング（例えば、ＲＲＣシグナリング）により、ＭＴＣ端末に通知されてもよい。なお、図９に示す繰り返し数は、例示にすぎず、これらに限られるものではない。
【００６８】
また、図９に示すように、ＲＡＲ内に多重されるＭＴＣ端末数は、ＲＡＲの伝送に用いられるトランスポートブロックサイズ（ＴＢＳ）に関連付けられる。例えば、図９では、上記ＭＴＣ端末数「１」、「２」、「３」が、それぞれ、ＴＢＳ「５６」、「１０４」、「１５２」に関連付けられる。なお、図９では、ＲＡＲ内における最大多重数は３であるが、これに限られない。また、ＭＴＣ端末数に関連付けられるＴＢＳも図９に示すものに限られない。
【００６９】
以上のようなＴＢＳを用いたランダムアクセス手順の一例を説明する。なお、当該ランダムアクセス手順は、図６で説明したシーケンスを適宜適用することができる。
【００７０】
無線基地局は、ＰＲＡＣＨの繰り返しレベルとＲＡＲに多重されるＭＴＣ端末数に基づいて、ＲＡＲの繰り返し数を決定する。例えば、ＰＲＡＣＨの繰り返しレベルが１であり、ＲＡＲ内に多重されるＭＴＣ端末数が１であるので、無線基地局は、図９において、当該繰り返しレベル「１」及びＭＴＣ端末数「１」に関連づけられる繰り返し数「１３」を決定する。
【００７１】
無線基地局は、ＲＡＲに多重されるＭＴＣ端末数「１」に関連付けられるＴＢＳ「５６」を示す情報を含むＤＣＩを、ＭＰＤＣＣＨを介して送信する。ここで、当該ＴＢＳを示す情報は、上記ＴＢＳを示すＴＢＳインデックスに関連付けられるＭＣＳインデックスであってもよい。ＭＣＳインデックスは、ＭＣＳテーブル（不図示）において、変調次数とＴＢＳインデックスとに関連付けられる。上記ＴＢＳは、ＭＣＳインデックスに関連付けられるＴＢＳインデックスによって示されてもよいし、或いは、ＴＢＳインデックス及びＲＡＲに割り当てられるＰＲＢ数（リソースブロック数）によって示されてもよい。
【００７２】
例えば、ＤＣＩフォーマット１Ｃに上記ＭＣＳインデックスが含まれる場合、ＭＴＣ端末は、ＭＣＳテーブル（不図示）において当該ＭＣＳインデックスに関連付けられるＴＢＳインデックス１を取得する。また、ＭＴＣ端末は、図１０Ａに示すＴＢＳテーブルにおいて当該ＴＢＳインデックス１に関連付けられるＴＢＳ「５６」を取得する。ＭＴＣ端末は、図９において、ＰＲＡＣＨの繰り返しレベル「１」と上記ＴＢＳ「５６」に関連付けられるＲＡＲの繰り返し数「１３」を検出する。
【００７３】
或いは、ＤＣＩフォーマット１Ａに上記ＭＣＳインデックスが含まれる場合、ＭＴＣ端末は、ＭＣＳテーブル（不図示）において当該ＭＣＳインデックスに関連付けられるＴＢＳインデックス１を取得する。また、ＭＴＣ端末は、図１０Ｂに示すＴＢＳテーブルにおいて当該ＴＢＳインデックス１と、ＲＡＲに割り当てられるＰＲＢ数（ここでは、「２」とする）に関連付けられるＴＢＳ「５６」を取得する。ＭＴＣ端末は、図９において、ＰＲＡＣＨの繰り返しレベル「１」と上記ＴＢＳ「５６」に関連付けられるＲＡＲの繰り返し数「１３」を検出する。
【００７４】
なお、図１０Ａ及び１０Ｂに示すＴＢＳテーブルは例示にすぎず、これらに限られない。例えば、図１０Ａでは、ＴＢＳインデックス３１までが示されるが、３２以上のＴＢＳインデックスが設けられてもよい。同様に、図１０Ｂでは、ＴＢＳインデックス６までが示されるが、６以上のＴＢＳインデックスが設けられてもよい。また、１１以上のＰＲＢ数に対応するＴＢＳが規定されてもよい。
【００７５】
第４の態様によれば、無線基地局から、ＲＡＲに多重されるＭＴＣ端末数に関連付けられるＴＢＳを示す情報が通知されるので、ＭＴＣ端末は、当該ＴＢＳとＰＲＡＣＨの繰り返しレベルとに基づいて、ＲＡＲの繰り返し数を検出でき、ＲＡＲを適切に受信できる。また、ＴＢＳを示す情報としてＭＣＳインデックスを利用することにより、既存のＤＣＩフォーマットを変更せずに、ＲＡＲの繰り返し数を黙示的に通知できる。
【００７６】
（第５の態様）
第５の態様では、ＭＴＣ端末は、上記検出用情報として、複数の狭帯域（周波数ブロック）を示す情報を受信する。ここで、当該複数の狭帯域の各々は、ＲＡＲ（応答信号）に多重されるＭＴＣ端末数（ユーザ端末数）に関連付けられる。ＭＴＣ端末は、ＰＲＡＣＨの繰り返しレベルとＲＡＲが割り当てられる狭帯域とに基づいて、ＲＡＲの繰り返し数を検出する。なお、以下では、第１の態様との相違点を中心に説明する。
【００７７】
図１１は、複数の狭帯域とＲＡＲ内に多重されるＭＴＣ端末数との関連付けの一例を示す図である。図１１Ａに示すように、ＭＴＣ端末の使用帯域の候補となる複数の狭帯域（ＮＢ）＃１−＃３が設定される場合を一例として想定する。図１１Ｂでは、狭帯域＃１−＃３が、それぞれ、ＲＡＲ内に多重されるＭＴＣ端末数「１」−「３」に関連付けられる。
【００７８】
なお、図１１Ａに示す複数の狭帯域は、予め初期設定されていてもよいし、上位レイヤシグナリング（例えば、ＲＲＣ、ＳＩＢなど）により設定されてもよい。また、図１１Ｂで各狭帯域に関連付けられるＭＴＣ端末数も、予め初期設定されていてもよいし、上位レイヤシグナリングにより設定されてもよい。また、図１１Ｂにおける繰り返しレベル毎及びＭＴＣ端末数（狭帯域）毎のＲＡＲの繰り返し数は、ＭＴＣ端末に予め定められて（記憶されて）いてもよいし、上位レイヤシグナリングにより、ＭＴＣ端末に通知されてもよい。なお、図１１Ｂに示す繰り返し数は、例示にすぎず、これらに限られるものではない。
【００７９】
以上のような狭帯域を用いたランダムアクセス手順の一例を説明する。無線基地局は、ＰＲＡＣＨの繰り返しレベルとＲＡＲに多重されるＭＴＣ端末数に基づいて、ＲＡＲの繰り返し数を決定する。例えば、ＰＲＡＣＨの繰り返しレベルが１であり、ＲＡＲ内に多重されるＭＴＣ端末数が１であるので、無線基地局は、図１１Ｂにおいて、当該繰り返しレベル「１」及びＭＴＣ端末数「１」に関連づけられる繰り返し数「１３」を決定する。
【００８０】
無線基地局は、ＲＡＲに多重されるＭＴＣ端末数「１」に関連付けられる狭帯域＃１を用いて、当該ＲＡＲを送信する。ＭＴＣ端末は、ＭＰＤＣＣＨにより狭帯域＃１にＲＡＲが割り当てられることを検出する。ＭＴＣ端末は、図１１Ｂにおいて、ＰＲＡＣＨの繰り返しレベル「１」と、狭帯域＃１に関連付けられるＲＡＲの繰り返し数「１３」を検出する。
【００８１】
第５の態様によれば、無線基地局から、ＲＡＲに多重されるＭＴＣ端末数が狭帯域に関連付けられるので、ＭＴＣ端末は、ＲＡＲが割り当てられる狭帯域とＰＲＡＣＨの繰り返しレベルとに基づいて、ＲＡＲの繰り返し数を検出でき、ＲＡＲを適切に受信できる。また、既存のＤＣＩフォーマットを変更せずに、ＲＡＲの繰り返し数を黙示的に通知できる。
【００８２】
（無線通信システム）
以下、本発明の一実施形態に係る無線通信システムの構成について説明する。この無線通信システムでは、上述した本発明の実施形態に係る無線通信方法が適用される。なお、上記の各実施形態に係る無線通信方法は、それぞれ単独で適用されてもよいし、組み合わせて適用されてもよい。ここでは、狭帯域に使用帯域が制限されたユーザ端末としてＭＴＣ端末を例示するが、ＭＴＣ端末に限定されるものではない。
【００８３】
図１２は、本発明の一実施形態に係る無線通信システムの概略構成図である。図１２に示す無線通信システム１は、マシンタイプ通信（ＭＴＣ）システムのネットワークドメインにＬＴＥシステムを採用した一例である。当該無線通信システム１では、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。また、ＬＴＥシステムが下りリンク及び上りリンク共に最大２０ＭＨｚのシステム帯域に設定されるものとするが、この構成に限られない。なお、無線通信システム１は、ＳＵＰＥＲ  ３Ｇ、ＬＴＥ−Ａ（LTE-Advanced）、ＩＭＴ−Ａｄｖａｎｃｅｄ、４Ｇ、５Ｇ、ＦＲＡ（Future  Radio  Access）などと呼ばれてもよい。
【００８４】
無線通信システム１は、無線基地局１０と、無線基地局１０に無線接続する複数のユーザ端末２０Ａ、２０Ｂ及び２０Ｃとを含んで構成されている。無線基地局１０は、上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。
【００８５】
複数のユーザ端末２０Ａ、２０Ｂ及び２０Ｃは、セル５０において無線基地局１０と通信を行うことができる。例えば、ユーザ端末２０Ａは、ＬＴＥ（Ｒｅｌ−１０まで）又はＬＴＥ−Ａｄｖａｎｃｅｄ（Ｒｅｌ−１０以降も含む）をサポートするユーザ端末（以下、ＬＴＥ端末）であり、他のユーザ端末２０Ｂ、２０Ｃは、ＭＴＣシステムにおける通信デバイスとなるＭＴＣ端末であり、使用帯域がシステム帯域の一部の狭帯域（周波数ブロック）に制限される。以下、特に区別を要しない場合は、ユーザ端末２０Ａ、２０Ｂ及び２０Ｃは単にユーザ端末２０と呼ぶ。
【００８６】
なお、ＭＴＣ端末２０Ｂ、２０Ｃは、ＬＴＥ、ＬＴＥ−Ａなどの各種通信方式に対応した端末であり、電気メータ、ガスメータ、自動販売機などの固定通信端末に限らず、車両などの移動通信端末でもよい。また、ユーザ端末２０は、直に他のユーザ端末２０と通信してもよいし、無線基地局１０を介して他のユーザ端末２０と通信してもよい。
【００８７】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００８８】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）が伝送される。
【００８９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）、ＭＰＤＣＣＨ（Machine  type  communication  Physical  Downlink  Control  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨ／ＭＰＤＣＣＨは、ＰＤＳＣＨ（下り共有データチャネル）と周波数分割多重され、ＰＤＣＣＨと同様にＤＣＩなどの伝送に用いられる。ＭＰＤＣＣＨは、システム帯域の一部の狭帯域（周波数ブロック）で送信される。
【００９０】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブル（ＲＡプリアンブル）が伝送される。
【００９１】
＜無線基地局＞
図１３は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【００９２】
下りリンクにより無線基地局１０からユーザ端末２０に送信されるユーザデータは、上位局装置３０から伝送路インターフェース１０６を介してベースバンド信号処理部１０４に入力される。
【００９３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて各送受信部１０３に転送される。また、下り制御信号に関しても、チャネル符号化や逆高速フーリエ変換などの送信処理が行われて、各送受信部１０３に転送される。
【００９４】
送受信部１０３は、下り信号を受信するとともに、上り信号を送信する。下り信号は、下り制御信号（例えば、ＰＤＣＣＨ／ＥＰＤＣＣＨ／ＭＰＤＣＣＨなど）、下りデータ信号（例えば、ＰＤＳＣＨなど）、下り参照信号（例えば、ＣＳＩ−ＲＳ（Channel  State  Information-Reference  Signal）、ＣＲＳ（Cell-specific  Reference  Signal）など）を含む。上り信号は、上り制御信号（例えば、ＰＵＣＣＨなど）、上りデータ信号（例えば、ＰＵＳＣＨなど）、上り参照信号（例えば、ＳＲＳ（Sounding  Reference  Signal）、ＤＭ−ＲＳ（DeModulation-Reference  Signal）など）、ランダムアクセス信号（ＰＲＡＣＨ：Physical  Random  Access  Channel）を含む。
【００９５】
具体的には、送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、システム帯域幅（例えば、１コンポーネントキャリア）より制限された周波数ブロック（狭帯域）（例えば、１．４ＭＨｚ）で、各種信号を送受信することができる。
【００９６】
送受信部１０３は、本発明に係る技術分野での共通認識に基づいて説明されるトランスミッター／レシーバー、送受信回路又は送受信装置とすることができる。
【００９７】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【００９８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【００９９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１００】
図１４は、本実施形態に係る無線基地局の機能構成の一例を示す図である。なお、図１４では、本実施形態における特徴部分の機能ブロックを主に示しており、無線基地局１０は、無線通信に必要な他の機能ブロックも有しているものとする。図１４に示すように、ベースバンド信号処理部１０４は、制御部３０１と、送信信号生成部３０２と、マッピング部３０３と、受信信号処理部３０４と、を備えている。
【０１０１】
制御部３０１は、下りデータ信号（ＰＤＳＣＨ）、下り制御信号（ＰＤＣＣＨ、ＥＰＤＣＣＨ及びＭＰＤＣＣＨの少なくとも一つ）のスケジューリング（例えば、リソース割り当て）を制御する。また、システム情報、同期信号や、下り参照信号（ＣＲＳ、ＣＳＩ−ＲＳ、ＤＭ−ＲＳなどの）のスケジューリングの制御も行う。また、上り参照信号、上りデータ信号（ＰＵＳＣＨ）、上り制御信号（ＰＵＣＣＨ）などのスケジューリングを制御する。
【０１０２】
制御部３０１は、各種信号を狭帯域に割り当ててユーザ端末２０に対して送信するように、送信信号生成部３０２及びマッピング部３０３を制御する。例えば、制御部３０１は、下りリンクのシステム情報（ＭＩＢ、ＳＩＢ）や、下り制御信号（ＭＰＤＣＣＨ）、下りデータ信号（ＰＤＳＣＨ）などを狭帯域で送信するように制御する。なお、下りデータ信号（ＰＤＳＣＨ）には、ランダムアクセス信号（ＰＲＡＣＨ）に対する応答信号（ＲＡＲ）や上位レイヤ制御情報が含まれる。
【０１０３】
また、制御部３０１は、ランダムアクセス信号（ＰＲＡＣＨ）の繰り返しレベル（ＣＥレベル）と、ランダムアクセス信号に対する応答信号（ＲＡＲ）に多重されるユーザ端末２０の数とに基づいて、当該応答信号の繰り返し数を決定する。なお、制御部３０１は、ランダムアクセス信号の繰り返しレベルを、ユーザ端末２０におけるメジャメント結果に基づいて推定してもよい。
【０１０４】
また、制御部３０１は、決定された繰り返し数を検出するための検出用情報をユーザ端末２０に送信するように制御する。ここで、検出用情報は、ランダムアクセス信号（ＰＲＡＣＨ）に対する応答信号（ＲＡＲ）に多重されるユーザ端末２０の数を示す情報であってもよいし（第１の態様）、ランダムアクセス信号の繰り返し数に対するオフセットを示す情報であってもよいし（第２の態様、第３の態様）、上記応答信号のトランスポートブロックサイズ（ＴＢＳ）を示す情報であってもよいし（第４の態様）、使用帯域の候補となる複数の狭帯域を示す情報であってもよい（第５の態様）。
【０１０５】
また、制御部３０１は、上記で決定された繰り返し数だけ上記応答信号（ＲＡＲ）を繰り返して送信するように、送信信号生成部３０２及び送受信部１０３を制御する。また、制御部３０１は、繰り返しレベル（ＣＥレベル）が示す繰り返し数だけ上記ランダムアクセス信号（ＰＲＡＣＨ）を繰り返して受信して受信信号を合成するように、受信信号処理部３０４及び送受信部１０３を制御する。
【０１０６】
制御部３０１は、本発明に係る技術分野での共通認識に基づいて説明されるコントローラ、制御回路又は制御装置とすることができる。
【０１０７】
送信信号生成部３０２は、制御部３０１からの指示に基づいて、下り信号（ランダムアクセス信号（ＰＲＡＣＨ）に対する応答信号（ＲＡＲ）を含む）を生成して、マッピング部３０３に出力する。例えば、送信信号生成部３０２は、制御部３０１からの指示に基づいて、下りデータ信号の割り当て情報を通知する下りグラント（下りアサインメント）及び上りデータ信号の割り当て情報を通知する上りグラントを生成する。
【０１０８】
送信信号生成部３０２は、本発明に係る技術分野での共通認識に基づいて説明される信号生成器、信号生成回路又は信号生成装置とすることができる。
【０１０９】
マッピング部３０３は、制御部３０１からの指示に基づいて、送信信号生成部３０２で生成された下り信号を、所定の狭帯域の無線リソース（例えば、最大６リソースブロック）にマッピングして、送受信部１０３に出力する。マッピング部３０３は、本発明に係る技術分野での共通認識に基づいて説明されるマッパー、マッピング回路又はマッピング装置とすることができる。
【０１１０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上りデータ信号（ＰＵＳＣＨ）、上り制御信号（ＰＵＣＣＨ）、上り参照信号（ＳＲＳ、ＤＭＲＳ）、ランダムアクセス信号（ＰＲＡＣＨ）など）である。受信信号処理部３０４は、受信した情報を制御部３０１に出力する。
【０１１１】
また、受信信号処理部３０４は、受信した信号を用いて受信電力（例えば、ＲＳＲＰ）、受信品質（例えば、ＲＳＲＱ）やチャネル状態などについて測定してもよい。測定結果は、制御部３０１に出力されてもよい。
【０１１２】
受信信号処理部３０４は、本発明に係る技術分野での共通認識に基づいて説明される信号処理器、信号処理回路又は信号処理装置、並びに、測定器、測定回路又は測定装置から構成することができる。
【０１１３】
＜ユーザ端末＞
図１５は、本実施形態に係るユーザ端末の全体構成の一例を示す図である。なお、ここでは詳細な説明を省略するが、通常のＬＴＥ端末がＭＴＣ端末として振る舞うように動作してもよい。ユーザ端末２０は、送受信アンテナ２０１と、アンプ部２０２と、送受信部２０３と、ベースバンド信号処理部２０４と、アプリケーション部２０５と、を備えている。なお、送受信部２０３は、送信部及び受信部から構成される。また、ユーザ端末２０は、送受信アンテナ２０１、アンプ部２０２、送受信部２０３などを複数備えてもよい。
【０１１４】
送受信アンテナ２０１で受信された無線周波数信号は、アンプ部２０２で増幅される。送受信部２０３は、アンプ部２０２で増幅された下り信号（下り制御信号（ＰＤＣＣＨ／ＥＰＤＣＣＨ／ＭＰＤＣＣＨ）、下りデータ信号（ＰＤＳＣＨ）、下り参照信号（ＣＳＩ−ＲＳ、ＣＲＳなど）、ランダムアクセス信号（ＰＲＡＣＨ）に対する応答信号（ＲＡＲ）を含む）を受信する。送受信部２０３は、受信信号をベースバンド信号に周波数変換して、ベースバンド信号処理部２０４に出力する。
【０１１５】
具体的には、送受信部２０３は、ランダムアクセス信号（ＰＲＡＣＨ）に対する応答信号（ＲＡＲ）の繰り返し数の検出用情報を受信する。検出用情報は、下り制御信号（ＭＰＤＣＣＨ）に含まれてもよいし、上位レイヤ制御情報（例えば、ＲＲＣシグナリングされる情報、ＭＩＢ、ＳＩＢなど）に含まれてもよい。なお、検出用情報の詳細については、上述の通りである。
【０１１６】
また、送受信部２０３は、ベースバンド信号処理部２０４から出力された上り信号（上り制御信号（ＰＵＣＣＨ）、上りデータ信号（ＰＵＳＣＨ）、上り参照信号（ＤＭ−ＲＳ、ＳＲＳ）、ランダムアクセス信号（ＰＲＡＣＨ）などを含む）を送信する。送受信部２０３は、本発明に係る技術分野での共通認識に基づいて説明されるトランスミッター／レシーバー、送受信回路又は送受信装置とすることができる。
【０１１７】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１１８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１１９】
図１６は、本実施形態に係るユーザ端末の機能構成の一例を示す図である。なお、図１６においては、本実施形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１２０】
制御部４０１は、送信信号生成部４０２及びマッピング部４０３の制御を行う。制御部４０１は、無線基地局１０から送信された下り制御信号（ＰＤＣＣＨ／ＥＰＤＣＣＨ／ＭＰＤＣＣＨ）及び下りデータ信号（ＰＤＳＣＨ）を、受信信号処理部４０４から取得する。なお、下りデータ信号（ＰＤＳＣＨ）には、ランダムアクセス信号（ＰＲＡＣＨ）に対する応答信号（ＲＡＲ）や上位レイヤ制御情報が含まれる。
【０１２１】
制御部４０１は、測定部４０５によるメジャメントの結果（例えば、受信信号強度（ＲＳＲＰ）や受信信号品質（ＲＳＲＱ）に基づいて、ランダムアクセス信号（ＰＲＡＣＨ）の繰り返しレベル（ＣＥレベル）を決定する。また、制御部４０１は、当該繰り返しレベルに基づいてランダムアクセス信号（ＰＲＡＣＨ）を繰り返して送信するように、送信信号生成部４０２、マッピング部４０３及び送受信部２０３を制御する。
【０１２２】
また、制御部４０１は、ランダムアクセス信号（ＰＲＡＣＨ）に対する応答信号（ＲＡＲ）の繰り返し数を検出し、検出された繰り返し数だけ当該応答信号（ＲＡＲ）を合成するように受信信号処理部４０４を制御する。具体的には、制御部４０１は、ランダムアクセス信号の繰り返しレベル（ＣＥレベル）と、送受信部２０３で受信される検出用情報とに基づいて、上記応答信号（ＲＡＲ）の繰り返し数を検出する。
【０１２３】
例えば、制御部４０１は、ランダムアクセス信号（ＰＲＡＣＨ）の繰り返しレベルと、上記応答信号（ＲＡＲ）に多重されるユーザ端末２０の数とに基づいて、上記応答信号（ＲＡＲ）の繰り返し数を検出してもよい（第１の態様）。
【０１２４】
また、制御部４０１は、ランダムアクセス信号（ＰＲＡＣＨ）の繰り返しレベルと、ランダムアクセス信号の繰り返し数に対するオフセットとに基づいて、上記応答信号（ＲＡＲ）の繰り返し数を検出してもよい（第２及び第３の態様）。ここで、当該オフセットは、ランダムアクセス信号の繰り返しレベル毎に定められてもよいし（図７）、繰り返しレベル共通で定められてもよい（図８）。なお、ランダムアクセス信号の繰り返し数は、繰り返しレベルによって示される。
【０１２５】
また、制御部４０１は、ランダムアクセス信号（ＰＲＡＣＨ）の繰り返しレベルと、上記応答信号（ＲＡＲ）に多重されるユーザ端末２０の数に関連付けられるトランスポートブロックサイズ（ＴＢＳ）とに基づいて、上記応答信号の繰り返し数を検出してもよい（第４の態様）。ここで、当該ＴＢＳを示す情報は、当該ＴＢＳを示すＴＢＳインデックスに関連付けられるＭＣＳインデックスであってもよい。
【０１２６】
また、制御部４０１は、ランダムアクセス信号（ＰＲＡＣＨ）の繰り返しレベルと、上記応答信号（ＲＡＲ）が割り当てられる狭帯域（周波数ブロック）とに基づいて、上記応答信号の繰り返し数を検出してもよい（第５の態様）。ここで、ユーザ端末２０の使用帯域の候補となる複数の狭帯域には、それぞれ、上記応答信号に多重されるユーザ端末２０の数が関連付けられる（図１１）。この関連付けは、予め設定されるか、上位レイヤシグナリングによりユーザ端末２０に設定される。
【０１２７】
制御部４０１は、本発明に係る技術分野での共通認識に基づいて説明されるコントローラ、制御回路又は制御装置とすることができる。なお、制御部４０１は、測定部４０５と合わせて本発明に係る測定部を構成することができる。
【０１２８】
送信信号生成部４０２は、制御部４０１からの指示に基づいて、上り信号を生成して、マッピング部４０３に出力する。例えば、送信信号生成部４０２は、制御部４０１からの指示に基づいて、ランダムアクセス信号（ＰＲＡＣＨ）を生成する。
【０１２９】
また、送信信号生成部４０２は、制御部４０１からの指示に基づいて上りデータ信号（ＰＵＳＣＨ）を生成する。例えば、送信信号生成部４０２は、無線基地局１０から通知される下り制御信号に上りグラントが含まれている場合に、制御部４０１から上りデータ信号の生成を指示される。
【０１３０】
送信信号生成部４０２は、本発明に係る技術分野での共通認識に基づいて説明される信号生成器、信号生成回路又は信号生成装置とすることができる。
【０１３１】
マッピング部４０３は、制御部４０１からの指示に基づいて、送信信号生成部４０２で生成された上り信号を無線リソース（例えば、最大６ＰＲＢ）にマッピングして、送受信部２０３へ出力する。マッピング部４０３は、本発明に係る技術分野での共通認識に基づいて説明されるマッパー、マッピング回路又はマッピング装置とすることができる。
【０１３２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号（ＰＤＣＣＨ／ＥＰＤＣＣＨ／ＭＰＤＣＣＨ）、下りデータ信号（ＰＤＳＣＨ）など）である。なお、下りデータ信号（ＰＤＳＣＨ）には、ランダムアクセス信号（ＰＲＡＣＨ）に対する応答信号（ＲＡＲ）や上位レイヤ制御情報が含まれる。
【０１３３】
受信信号処理部４０４は、受信した情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。
【０１３４】
受信信号処理部４０４は、本発明に係る技術分野での共通認識に基づいて説明される信号処理器、信号処理回路又は信号処理装置とすることができる。また、受信信号処理部４０４は、本発明に係る受信部を構成することができる。
【０１３５】
測定部４０５は、制御部４０１からの指示に基づいて、所定周期で周波数ホッピングされる狭帯域（周波数ブロック）のＣＳＩを測定する。ＣＳＩは、ランク識別子（ＲＩ）、チャネル品質識別子（ＣＱＩ）、プリコーディングマトリクス識別子（ＰＭＩ）の少なくとも一つを含む。また、測定部４０５は、受信した信号を用いて受信電力（ＲＳＲＰ）、受信品質（ＲＳＲＱ）などについて測定してもよい。なお、処理結果や測定結果は、制御部４０１に出力されてもよい。
【０１３６】
測定部４０５は、本発明に係る技術分野での共通認識に基づいて説明される測定器、測定回路又は測定装置とすることができる。
【０１３７】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１３８】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１３９】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１４０】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末２０の全体を制御する。また、プロセッサは、記憶媒体からプログラム、ソフトウェアモジュールやデータをメモリに読み出し、これらに従って各種の処理を実行する。
【０１４１】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１４２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１４３】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１４４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１４５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１４７】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１４８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１４９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１５０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１５１】
本出願は、２０１５年８月１３日出願の特願２０１５−１５９９８６に基づく。この内容は、全てここに含めておく。
【図１】
2017026435.tif 000003
【図２】
2017026435.tif 000004
【図３】
2017026435.tif 000005
【図４】
2017026435.tif 000006
【図５】
2017026435.tif 000007
【図６】
2017026435.tif 000008
【図７】
2017026435.tif 000009
【図８】
2017026435.tif 000010
【図９】
2017026435.tif 000011
【図１０】
2017026435.tif 000012
【図１１】
2017026435.tif 000013
【図１２】
2017026435.tif 000014
【図１３】
2017026435.tif 000015
【図１４】
2017026435.tif 000016
【図１５】
2017026435.tif 000017
【図１６】
2017026435.tif 000018
【国際調査報告】
2017026435.tif 000019
2017026435.tif 000020
2017026435.tif 000021
2017026435.tif 000022